(57)【要約】【課題】酸性物質やアルカリ性物質の漏洩や飛散などによる周囲環境への汚染を防止することが出来るとともに、酸性物質やアルカリ性物質の漏洩や飛散などがあったことを容易に認識することができるｐＨ表示機能を具えた塩化ビニルシートの提供を課題とする。【解決手段】塩化ビニルの細片をテトラヒドロフラン（ＴＨＦ）に溶解させて第１の溶液を作り、ｐＨ指示薬をエチルアルコールに溶解させて第２の溶液を作り、第１の溶液にメチルエチルケトン（ＭＥＫ）を加えた後に第２の溶液を加えて撹拌して混合溶液を作成する。この混合溶液を塩化ビニルシートの表面に塗布して乾燥させることによって塩化ビニル層１０ａと一体的となるｐＨ指示薬層１０ｂを形成する。【選択図】図２
2013233678.tif 000002
【特許請求の範囲】
【請求項１】
塩化ビニルシートの表面上に、当該塩化ビニルシートと一体的となるｐＨ指示薬層が形成されていることを特徴とするｐＨ表示機能を具えた塩化ビニルシート。
【請求項２】
請求項１に記載のｐＨ表示機能を具えた塩化ビニルシートの前記ｐＨ指示薬層が内側の面となるように配設されている袋状のカバー本体を有するビニルカバーであって、建屋の内外に配設されているパイプの予め定められた特定の部分の周囲を全周に亘って覆うように装着可能な前記パイプ用の貫通口と開閉手段とを有する袋状のパイプ内流通物のビニルカバー。
【請求項３】
塩化ビニルをテトラヒドロフラン（ＴＨＦ）に溶解して第１の溶液を作成し、
ｐＨ指示薬をエチルアルコール（Ｃ２Ｈ５ＯＨ）に溶解して第２の溶液を作成し、
前記第１の溶液に、メチルエチルケトン（ＭＥＫ）を溶解させた後、さらに前記第２の溶液を混合した混合溶液を作成し、
当該混合溶液を塩化ビニルシートの表面に塗布して乾燥させることによって塩化ビニルシートの表面上にｐＨ指示薬層を形成することを特徴とするｐＨ表示機能を具えた塩化ビニルシートの製造方法。
【発明の詳細な説明】
【技術分野】
【０００１】
本発明は、塩化ビニルシートの表面上にｐＨ指示薬層が形成されているｐＨ表示機能を具えた塩化ビニルシートに関するものである。
【背景技術】
【０００２】
従来から塩化ビニルシートは、種々の製品材料として用いられており、例えば包装梱包材、保護養生シート材、防護服の素材、機器や配管継ぎ手部分のカバー等に持ちいれられている。
【０００３】
原子力施設では、保護養生シートの素材、機器や配管継ぎ手部分のカバー等にビニルシートが使用されている。保護養生シートの目的は、放射性物質が溶解する薬品を分析フードで取扱う場合に飛散した薬品がフード外に飛散するのを防止する事であり、機器や配管継ぎ手部分には、ビニルシートを袋状に形成してカバーとし、配管部材の劣化や破損により漏洩した薬品の周辺への漏洩や飛散を防いでいる。
【０００４】
ここで、機器や配管継ぎ手部分に使用されているビニルシートのカバーは、その材料が劣化や破損した場合には、酸やアルカリの薬品に溶解した放射性物質が、この劣化や破損した箇所から漏洩する虞がある。
【０００５】
以下、配管継ぎ手部分のカバーを例にとって、図を用いて具体的に説明する。
【０００６】
先ず従来のビニルカバーが使用されている原子力施設等のプラントにおいては、図５（ａ）に示すように建屋Ｂの内外にプラントで使用する物質を移動させるためのパイプＰが配設されている。このような既設のパイプＰにおいては、特にパイプＰの接続部分で経年変化等によってパイプ内流通物１の漏洩が生じやすい。
【０００７】
パイプ内流通物１がパイプＰ外に漏洩した場合には、パイプＰ付近の建屋Ｂに付着して汚染領域２が生じる。また、このようなパイプ内流通物１の漏洩が間欠的に生じる場合には、漏洩が生じていないときには汚染領域２が乾いて、図５（ｂ）に示したように染み跡３になってしまうために、漏洩の発見は困難となる。
【０００８】
従来から、このようなパイプ内流通物１による建屋Ｂ等の発見しにくい汚染被害を防ぐ目的で、配設されているパイプＰの特定の部分の周囲を全周に亘って覆うビニルカバーが使用されている。このようなビニルカバーは、通常、透明ないし半透明のビニルシートで出来ており、ビニルカバー内でパイプ内流通物の漏洩が生じている場合には、外部からその漏洩状態を発見出来るように構成されている。
【０００９】
従って、ビニルカバー内でパイプ内流通物の漏洩が生じている場合には、プラント等の作業者は、その漏洩をビニルカバーの外部から発見して、ビニルカバーを外してその部分のパイプの漏洩場所の修理を行なうことができる。
【００１０】
しかしながら、従来のビニルカバーを既設のパイプＰに装着した場合には、その部分でのパイプ内流通物１の漏洩による建屋Ｂへの汚染被害を防ぐことは出来ても、パイプ内流通物の漏洩を発見することに関しては以下のような問題が生じていた。
【００１１】
先ず、このようなプラント等に配設されているパイプＰは、建屋Ｂの高い場所や角などのように見辛い場所に配設されている場合が多く、パイプＰを見る角度の範囲が予め限定されてしまっており、その範囲内の角度でパイプＰを見たとき、パイプＰの周囲の光の具合によってはビニルカバーを構成するビニルシートの表面での光の反射により、ビニルカバー内のパイプＰの視認が困難になってしまうという問題があった。また、漏洩する液体が透明である場合、漏洩の判別が難しく見逃してしまうことが多々有り、そのために漏洩液が袋状のカバーから漏れ出て飛散し、この様な配管が設置される場所を汚染してしまうという問題もあった。
【００１２】
さらに、このようなビニルカバーを構成する透明ないし半透明のビニルシートは、経年変化により「曇り」が生じ、古くなってそのような「曇り」が生じたビニルカバーが装着されている場合には、ビニルカバーの内部が視認できず、従ってパイプ内流通物の漏洩を発見することができないという問題も生じていた。
【００１３】
以上のように既設のパイプに従来のパイプ内流通物のビニルカバーを装着した場合には、装着しない状態に比してパイプ内流通物の漏洩が発見しにくくなってしまうという問題があった。
【００１４】
ここで、パイプ内流通物が酸性やアルカリ性などの物質である場合には、ビニルカバーを構成するビニルシートの内面側にｐＨ指示薬のような物質のｐＨによって変色する検出薬を配設しておけば、上述した高所や狭隘の視認困難な場所であっても、パイプ内流通物の漏洩を容易に視認することができる。
【発明の概要】
【発明が解決しようとする課題】
【００１５】
現在、一般に市販されているｐＨ指示薬はエチルアルコール（Ｃ２Ｈ５ＯＨ）にはよく溶解するので、ｐＨ指示薬をエチルアルコールに溶解させた溶液をビニルシートに塗布した場合、先ずその溶液はビニルシートの表面には付着しにくいのみならず、溶液が乾燥した段階では、その乾燥物はビニルシートの表面から簡単に剥離してしまう。
【００１６】
すなわち、ビニルシートの表面にｐＨ指示薬を配設することは困難であるという技術的問題があった。
【課題を解決するための手段】
【００１７】
上記の技術的問題を解決するために、本願発明者は鋭意研究の結果、以下の知見に至り本発明を完成するに至ったものである。
【００１８】
すなわち、ｐＨ指示薬はエチルアルコール（Ｃ２Ｈ５ＯＨ）に溶けやすく、また塩化ビニルはテトラヒドロフラン（ＴＨＦ）に溶けやすい。従って、ｐＨ指示薬のエチルアルコール溶液と、塩化ビニルのテトラヒドロフラン溶液とに相溶性のある物質を発見して、その物質を混在させた状態で２つの溶液を混合すれば、ｐＨ指示薬を塩化ビニルシート上に付着させて定着させることが出来る混合溶液とすることができる、との発想に至り、以後、さらに実験・研究をした結果、そのような物質としてカルボニル基を有するメチルエチルケトン（ＭＥＫ）を見い出して本発明を完成するに至った。
【００１９】
以上のようにして完成させた本発明は、塩化ビニルシートの表面上に、当該塩化ビニルシートと一体的となるｐＨ指示薬層が形成されていることを特徴とするものである。
【００２０】
上述した本発明に係るｐＨ表示機能を具えた塩化ビニルシートを用いてビニルカバーを作る場合には、ｐＨ表示機能を具えた塩化ビニルシートの前記ｐＨ指示薬層が内側の面となるように配設されている袋状のカバー本体を有するビニルカバーであって、建屋の内外に配設されているパイプの予め定められた特定の部分の周囲を全周に亘って覆うように装着可能な前記パイプ用の貫通口と開閉手段とを有する袋状のパイプ内流通物のビニルカバーとすればよい。
【００２１】
また、上述した本発明に係るｐＨ指示機能を具えた塩化ビニルシートの製造方法は、塩化ビニルをテトラヒドロフラン（ＴＨＦ）に溶解して第１の溶液を作成し、ｐＨ指示薬をエチルアルコール（Ｃ２Ｈ５ＯＨ）に溶解して第２の溶液を作成し、前記第１の溶液に、メチルエチルケトン（ＭＥＫ）を溶解させた後、さらに前記第２の溶液を混合した混合溶液を作成し、当該混合溶液を塩化ビニルシートの表面に塗布して乾燥させることによって塩化ビニルシートの表面上にｐＨ指示薬層を形成することを特徴とするものである。
【発明の効果】
【００２２】
本発明によれば、酸性物質やアルカリ性物質の漏洩や飛散などによる周囲環境への汚染を防止することが出来るとともに、酸性物質やアルカリ性物質の漏洩や飛散などがあったことを容易に認識することができるｐＨ表示機能を具えた塩化ビニルシートを提供することができる。
【図面の簡単な説明】
【００２３】
【図１】本発明の実施例１に係るビニルカバーの構成を示す構成図である。
【図２】図１に示したビニルカバーの構成の説明図である。
【図３】図１に示したビニルカバーの使用方法の説明図である。
【図４】図１に示したビニルカバーの構成の説明図である。
【図５】建屋に配設されているパイプの状態を示す説明図である。
【発明を実施するための形態】
【００２４】
以下、本発明の実施例について説明する。
【実施例１】
【００２５】
ｐＨ表示機能を具えた塩化ビニルシートを作製するために、先ず、塩化ビニルシートの表面上にｐＨ指示薬を付着・定着させるための溶液を作成する。
【００２６】
始めに、塩化ビニルの細片をテトラヒドロフラン（ＴＨＦ）に溶解させる。この塩化ビニルの細片は、塩化ビニルシートを縦横５ｍｍ位の正方形に細断したものを使用した。この塩化ビニルの細片１０ｇを、４０℃に加温したテトラヒドロフラン（ＴＨＦ）１００ｍｌに入れて振動を与えて溶解させて第１の溶液とする。
【００２７】
次に、ｐＨ指示薬をエチルアルコール（Ｃ２Ｈ５ＯＨ）に溶解させる。本実施例１においてはｐＨ指示薬として東京化成工業株式会社製コンゴーレッドを０．５ｇ用いて、それをエチルアルコール１００ｍｌに溶解させてｐＨ指示薬の０．５％溶液を作成し、これを第２の溶液とする。
【００２８】
第１の溶液を４０℃に加温して、これに予め４０℃に加温したメチルエチルケトン（ＭＥＫ）１００ｍｌを加え、さらに４０℃に加温した第２の溶液を加えて撹拌して混合溶液を作成する。
【００２９】
以上のようにして作成した混合溶液を、塩化ビニルシートの表面に塗布して乾燥させることによって、乾燥後も剥離しないｐＨ指示薬層が一体的に形成されている塩化ビニルシートを作成した。
【００３０】
なお、以上説明した本実施例１においては、ｐＨ指示薬として東京化成工業株式会社製コンゴーレッドを用いたが、このｐＨ指示薬は、この製品に限られるものではなく、例えば、昭和化学株式会社製ブロモチモールブルー等の他のｐＨ指示薬を用いても本発明の効果を得ることができる。また、以上の説明において、用いられている物質の量や温度や溶液の濃度は、ここに記された量や温度や濃度に限られるものではなく、ここに記された量や温度や濃度は単なる一例であり、本発明の範囲を限定するものではない。
【００３１】
次に、以上のようにして作成されたｐＨ指示機能を具えた塩化ビニルシートを用いた本実施例１に係るビニルカバーについて説明する。
【００３２】
図１（ａ），（ｂ）は、本実施例１に係るビニルカバーの構成を示す斜視図である。
【００３３】
図１（ａ），（ｂ）において、１０は、装着されるパイプの予め定められた特定の部分の周囲を全周に亘って覆うような形状に形成されたカバー本体である。２０はパイプが貫通する貫通口であり、この貫通口２０の周囲を形成するカバー本体１０は、装着されるパイプの外周壁に密着するような形状に形成されている。３０は、カバー本体１０のパイプへの脱着時に使用する開閉手段である。４０は、貫通口２０の周囲を形成するカバー本体１０をパイプに密着固定するためのクランプリングである。
【００３４】
以上説明した本実施例１に係るビニルカバーの構成は、従来のパイプ内流通物のビニルカバーの構成と同様の構成となっている。従来例との差異は、カバー本体１０を形成している部材の構成にある。即ち、従来例では、この部材として透明ないし半透明の塩化ビニルシートが用いられていたが、本実施例１に係るビニルカバーにおいては、図２に示すように、透明ないし半透明の塩化ビニルシートを構成している塩化ビニル層１０ａの上に、パイプ内流通物と反応するｐＨ指示薬層１０ｂが配設されている。
【００３５】
このｐＨ指示薬層１０ｂはカバー本体１０の内面側の表面を形成するように塩化ビニル層１０ａ上に配設されている。
【００３６】
以上のように構成された本実施例１に係るビニルカバーを、図３（ａ）に示すように、既設のパイプＰに従来のビニルカバーと同様の手順で装着しておけば、パイプ内流通物である酸性物質やアルカリ性物質が漏洩した場合には、その時点で、図３（ｂ）に示したように、カバー本体１０の漏洩場所付近に変色領域１１，１２が生じる。
【００３７】
従って、本実施例１に係るビニルカバーをパイプＰに装着した場合には、パイプ内流通物である酸性物質やアルカリ性物質の漏洩を外部から見て簡単かつ確実に認識することができる。
【００３８】
なお、本実施例１に係るビニルカバーの形状は、図１（ａ），（ｂ）に示した形状に限られるものではなく、従来からあるビニルカバーと同様に、装着されるパイプの形状に応じてどのような形状としてもよい。例えば、３個の貫通口２０と２個の開閉手段３０を有する図４に示したような形状としてもよい。
【産業上の利用可能性】
【００３９】
本発明に係るｐＨ表示機能を具えた塩化ビニルシートは、酸性物質やアルカリ性物質の漏洩・飛散による周囲環境への汚染を防ぐ防護機能と、漏洩・飛散の事実を検出する検出機能とを有しているので、本明細書で説明したビニルカバーの素材のみならず各種の製品の素材として使用することができる。例えば、酸性物質やアルカリ性物質を扱う場所で使用する防護服、床面用の保護シート等の素材として利用することができる。
【符号の説明】
【００４０】
１  パイプ内流通物
２  汚染領域
３  染み跡
１０  カバー本体
１０ａ  塩化ビニル層
１０ｂ  ｐＨ指示薬層
１１，１２  変色領域
２０  貫通口
３０  開閉手段
４０  クランプリング
Ｂ  建屋
Ｐ  パイプ
【図１】
2013233678.tif 000003
【図２】
2013233678.tif 000004
【図３】
2013233678.tif 000005
【図４】
2013233678.tif 000006
【図５】
2013233678.tif 000007